(57)【要約】【課題】コスト的に満足でき、信頼性を向上させる医療機器の管理システムを提供する。【解決手段】本医療機器の管理システム１ａは、医療機器２の電源差込プラグ１２とプラグ受け１３との間に装着され、当該医療機器２の機器ＩＤが記憶され、且つ当該医療機器が稼働した際に流れる電流を検出する電流センサ１０を有するＩＤタグプラグ４と、該ＩＤタグプラグ４と商用電源線１５を介して接続され、該ＩＤタグプラグ４に記憶された機器ＩＤの信号及び前記電流センサ１０からの検出信号を得て、当該医療機器２の稼働状態を検出する検出器５と、該検出器５による検出結果を記憶して、データとして蓄積する管理装置６と、を備えている。これにより、管理システム全体のコストを抑制することができ、信頼性を向上させることができる。【選択図】図１
2019185656.tif 000002
【特許請求の範囲】
【請求項１】
医療機関の建屋内に設置される医療機器の管理システムであって、
前記医療機器の電源差込プラグとプラグ受けとの間に装着され、当該医療機器の機器ＩＤが記憶され、且つ当該医療機器が稼働した際に流れる電流を検出する電流センサを有するＩＤタグプラグと、
該ＩＤタグプラグと商用電源線を介して接続され、該ＩＤタグプラグに記憶された機器ＩＤの信号及び前記電流センサからの検出信号を得て、当該医療機器の稼働状態を検出する検出器と、
該検出器による検出結果を記憶して、データとして蓄積する管理装置と、
を備えていることを特徴とする医療機器の管理システム。
【請求項２】
前記検出器は、電源差込プラグを有し、該電源差込プラグが任意のプラグ受けに差し込まれて構成されることを特徴とする請求項１に記載の医療機器の管理システム。
【請求項３】
前記検出器の電源差込プラグが、シーリングペンダントに備えられたプラグ受けに差し込まれることを特徴とする請求項２に記載の医療機器の管理システム。
【請求項４】
前記検出器には、温湿度センサが設けられていることを特徴とする請求項３に記載の医療機器の管理システム。
【請求項５】
医療機関の建屋内に設置される医療機器の管理システムであって、
シーリングペンダントに備えられたプラグ受けに対応するように、該シーリングペンダントに一体的に設けられ、当該プラグ受けに電源差込プラグが差し込まれる医療機器の機器ＩＤが記憶され、且つ当該医療機器が稼働した際に流れる電流を検出する電流センサを有する稼働検出部材と、
該稼働検出部材と電気的に接続され、該稼働検出部材に記憶された機器ＩＤの信号及び前記電流センサからの検出信号を得て、当該医療機器の稼働状態を検出する検出器と、
該検出器による検出結果を記憶して、データとして蓄積する管理装置と、
を備えていることを特徴とする医療機器の管理システム。
【請求項６】
前記検出器は、ＬＡＮケーブルを介して前記管理装置に接続されることを特徴とする請求項１〜５のいずれかに記載の医療機器の管理システム。
【発明の詳細な説明】
【技術分野】
【０００１】
本発明は、病院等の医療機関の建屋内に設置される多数の医療機器に対して、それぞれの稼働時間や稼働場所等を管理する、医療機器の管理システムに関するものである。
【背景技術】
【０００２】
医療機関は、その建屋内に電気メス、超音波凝固切開装置、脳波計、生体モニター等の医療機器を多数所有している。また、医療機関においては、これら多種多様で多数の医療機器の使用履歴等を管理することで、メンテナンス等の時期を把握して速やかに実行する必要がある。しかしながら、この多種多様で多数の医療機器具の管理には大変な労力を必要としている。そして、これに対処するために様々な医療機器の管理システムが提案されている。
【０００３】
例えば、特許文献１には、医療従事者が患者に対して医療行為を行う際に使用する医療機器のコンセントと商用電源との間にコンセントモジュールとして設置される稼働状態検出装置と、無線通信を中継する中継機と、医療機器のデータを一元管理するための管理端末と、を備える医療機器の管理システムが開示されている。この特許文献１に係る医療機器の管理システムに採用した稼働状態検出装置は、装置全体の制御する制御ＣＰＵと、制御ＣＰＵに商用電源からの電力を供給する電源部と、医療機器が稼働した際に流れる電流を検出するＣＴセンサと、制御ＣＰＵで演算された医療機器の稼働状態に関する情報を９２０ＭＨｚ帯の周波数を用いて他の稼働状態検出装置及び／又は中継機に送信する通信部と、を備えている。
【先行技術文献】
【特許文献】
【０００４】
【特許文献１】特開２０１６−２１２６９４号公報
【発明の概要】
【発明が解決しようとする課題】
【０００５】
上述した、特許文献１に係る医療機器の管理システムでは、コンセントモジュールとしての稼働状態検出装置が、装置全体を制御する制御ＣＰＵと、他の稼働状態検出装置及び／又は中継機に無線信号を送信する通信部と、を備えており、コンセントモジュール単体が高価なものになり、しかも、このコンセントモジュールを医療機器の数量に応じて揃える必要があり、管理システムを構築するためのコストが高くなる虞がある。
【０００６】
また、稼働状態検出装置は、通信部により他の稼働状態検出装置及び／又は中継機と無線通信するように構成されているが、手術室内には、多くの障害物（なまり防御壁等）があるために、中継器を通信良好な位置に適宜設置する必要があり、それゆえに、中継器の設置位置が限定され、手術室内のスペース効率の悪化、及びノイズや通信エラー等の通信不具合が生じる虞がある。要するに、無線利用にあっては、手術室内の通信環境を良く精査した上で対処する必要がある。
【０００７】
本発明は、かかる点に鑑みてなされたものであり、コスト的に満足でき、信頼性を向上させる医療機器の管理システムを提供することを目的とする。
【課題を解決するための手段】
【０００８】
（発明の態様）
以下に示す発明の態様は、本発明の構成を例示するものであり、本発明の多様な構成の理解を容易にするために、項分けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれるものである。
【０００９】
（１）医療機関の建屋内に設置される医療機器の管理システムであって、前記医療機器の電源差込プラグとプラグ受けとの間に装着され、当該医療機器の機器ＩＤが記憶され、且つ当該医療機器が稼働した際に流れる電流を検出する電流センサを有するＩＤタグプラグと、該ＩＤタグプラグと商用電源線を介して接続され、該ＩＤタグプラグに記憶された機器ＩＤの信号及び前記電流センサからの検出信号を得て、当該医療機器の稼働状態を検出する検出器と、該検出器による検出結果を記憶して、データとして蓄積する管理装置と、を備えていることを特徴とする医療機器の管理システム（請求項１の発明に相当）。
（１）項に記載の医療機器の管理システムでは、特定の医療機器が稼働すると、ＩＤタグプラグの電流センサにより、医療機器へ流れる電流（医療機器が消費する電力）を検知することができる。そして、ＩＤタグプラグの電流センサによる検出信号及び機器ＩＤの信号が、商用電源線を介して検出器に伝達され、当該検出器にて、医療機器の稼働状態、すなわち医療機器の稼働開始日時、停止日時、稼働場所、稼働時間及び消費電力等が検出される。その後、検出器による検出結果（医療機器の稼働状態）が管理装置に伝達されて、管理装置にデータとして記憶、蓄積される。
【００１０】
（２）（１）項に記載の医療機器の管理システムであって、前記検出器は、電源差込プラグを有し、該電源差込プラグが任意のプラグ受けに差し込まれて構成されることを特徴とする医療機器の管理システム（請求項２の発明に相当）。
（２）項に記載の医療機器の管理システムでは、検出器の設置場所が限定されることなく、空いている任意のプラグ受けを使用することができ、取り扱いが非常に良好となる。
【００１１】
（３）（２）項に記載の医療機器の管理システムであって、前記検出器の電源差込プラグが、シーリングペンダントに備えられたプラグ受けに差し込まれることを特徴とする医療機器の管理システム（請求項３の発明に相当）。
（３）項に記載の医療機器の管理システムでは、検出器の電源差込プラグが、シーリングペンダントのプラグ受けに差し込まれることで、検出器と管理装置とを、例えば、シーリングペンダント内に配置されたＬＡＮケーブルにより容易に接続することが可能になる。
【００１２】
（４）（３）項に記載の医療機器の管理システムであって、前記検出器には、温湿度センサが設けられていることを特徴とする医療機器の管理システム（請求項４の発明に相当）。
（４）項に記載の医療機器の管理システムでは、シーリングペンダントは、例えば、天井から患者の近くに垂下されている場合が多く、検出器に設けられた温湿度センサにより、患者の周囲の温度及び湿度を正確に計測することができる。
【００１３】
（５）医療機関の建屋内に設置される医療機器の管理システムであって、シーリングペンダントに備えられたプラグ受けに対応するように、該シーリングペンダントに一体的に設けられ、当該プラグ受けに電源差込プラグが差し込まれる医療機器の機器ＩＤが記憶され、且つ当該医療機器が稼働した際に流れる電流を検出する電流センサを有する稼働検出部材と、該稼働検出部材と電気的に接続され、該稼働検出部材に記憶された機器ＩＤの信号及び前記電流センサからの検出信号を得て、当該医療機器の稼働状態を検出する検出器と、該検出器による検出結果を記憶して、データとして蓄積する管理装置と、を備えていることを特徴とする医療機器の管理システム（請求項５の発明に相当）。
（５）項に記載の医療機器の管理システムでは、特定の医療機器が稼働すると、稼働検出部材の電流センサにより、医療機器へ流れる電流（医療機器の消費電力）を検知することができる。そして、稼働検出部材の電流センサによる検出信号及び機器ＩＤの信号が検出器に伝達され、医療機器の稼働状態、すなわち医療機器の稼働場所、稼働開始時刻、停止時刻、稼働時間及び消費電力等が検出される。その後、検出器による検出結果が管理装置に伝達されて、管理装置にデータとして記憶、蓄積される。また、（５）項に記載の医療機器の管理システムにおいては、シーリングペンダントに稼働検出部材を一体化して構成されているので、（１）項の医療機器の管理システムで採用したＩＤタグプラグを、医療機器の電源差込プラグと、プラグ受けとの間に装着する手間を省くことができる。
【００１４】
（６）（１）項〜（５）項いずれかに記載の医療機器の管理システムであって、前記検出器は、ＬＡＮケーブルを介して前記管理装置に接続されることを特徴とする医療機器の管理システム（請求項６の発明に相当）。
（６）項に記載の医療機器の管理システムでは、検出器による検出結果を、ＬＡＮケーブルを介して管理装置に伝達することができる。これにより、無線通信による通信不具合を抑制することができる。
【００１５】
（７）（５）項または（６）項に記載の医療機器の管理システムであって、前記検出器は、前記シーリングペンダントに一体化されていることを特徴とする医療機器の管理システム。
（７）項に記載の医療機器の管理システムでは、本管理システムをシーリングペンダントに集約することができ、本管理システムのための専有スペースを必要としない。
【００１６】
（８）（１）項または（２）項に記載の医療機器の管理システムであって、前記検出器は、その電源差込コンセントが手術室の外にあるプラグ受けに差し込まれることを特徴とする医療機器の管理システム。
（８）項に記載の医療機器の管理システムでは、検出器の設置に際し、手術室外の多数のプラグ受けから任意のプラグ受けを選択することができ、検出器の設置位置が限定されない。
【００１７】
（９）（８）項に記載の医療機器の管理システムであって、前記検出器は、無線の通信手段を介して前記管理装置に接続されていることを特徴とする医療機器の管理システム。
（９）項に記載の医療機器の管理システムでは、検出器が手術室外に設置されており、無線による通信障害を抑制しながら、管理システムの構成を簡素化することができる。
【発明の効果】
【００１８】
本発明に係る医療機器の管理システムによれば、当該管理システム全体のコストを抑えたうえで、信頼性を向上させることができる。
【図面の簡単な説明】
【００１９】
【図１】図１は、本発明の第１の実施形態に係る医療機器の管理システムの概略図である。
【図２】図２は、図１の医療機器の管理システムに採用した検出器を設置できるシーリングペンダントの概略斜視図である。
【図３】図３は、本発明の第２の実施形態に係る医療機器の管理システムの概略図である。
【発明を実施するための形態】
【００２０】
以下、本発明を実施するための形態を図１〜図３に基づいて詳細に説明する。
本発明の第１及び第２の実施形態に係る医療機器の管理システム１ａ、１ｂを、図１〜図３に基づいて説明する。第１及び第２の実施形態に係る医療機器の管理システム１ａ、１ｂは、医療機関が所有する全ての医療機器２に対して、その管理番号、製造年月日、導入年月日、製造メーカ、耐用年数及び使用履歴等を管理するものである。なお、この使用履歴は、稼働開始年月日、稼働回数、稼働頻度、稼働時間、稼働場所、稼働開始からの期間等の情報である。医療機関は、例えば、病院、診療所等の医療提供施設である。医療機器２は、多種多様であり、人間または動物の疾病の診断、治療または予防等に使用されるものである。医療機器２は、例えば、超音波診断装置、Ｘ線撮影装置、電気メス、脳波計及び生体モニター等である。
【００２１】
まず、第１の実施形態に係る医療機器の管理システム１ａを図１及び図２に基づいて説明する。図１に示すように、第１の実施形態に係る医療機器の管理システム１ａは、医療機器２の電源差込プラグ１２とプラグ受け１３との間に装着されるＩＤタグプラグ４と、当該ＩＤタグプラグ４と商用電源線１５を介して接続される検出器５と、該検出器５による検出結果を記憶して、データとして蓄積する管理装置６と、を備えている。
【００２２】
ＩＤタグプラグ４は、ある特定の医療機器２に対応して設けられる。すなわち、ＩＤタグプラグ４は、当該医療機器２と１対１で対応付けられる。ＩＤタグプラグ４には、当該医療機器２の機器ＩＤが記憶されている。機器ＩＤは、医療機器２の識別情報であって、医療機関内での管理番号、医療機器２の名称、製造年月日、導入年月日、製造メーカ及び耐用年数等の識別情報である。ＩＤタグプラグ４には、医療機器２が稼働した際に流れる電流を検出する電流センサ１０を有している。このＩＤタグプラグ４は、対応する医療機器２の電源差込プラグ１２と、任意のプラグ受け１３（俗に言うコンセント）との間に配置される。なお、ＩＤタグプラグ４は、ある特定の医療機器２と１対１で対応付けられているために、その医療機器２の電源差込プラグ１２にＩＤタグプラグ４を差し込んだ状態で放置してもよい。ＩＤタグプラグ４は、商用電源線１５を介して検出器５に接続されている。そして、医療機器２が稼働すると、ＩＤタグプラグ４の電流センサ１０が当該医療機器２へ流れる電流を検知することで、ＩＤタグプラグ４の電流センサ１０による検出信号及び機器ＩＤの信号が、商用電源線１５を介して検出器５に伝達される。
【００２３】
検出器５は、電源差込プラグ１８を有し、当該電源差込プラグ１８が任意のプラグ受け１３に差し込まれて構成される。当該検出器５は、ＩＤタグプラグ４の電流センサ１０からの検出信号及び機器ＩＤの信号を、商用電源線１５を介して受信して、当該医療機器２の稼働状態を検出するものである。すなわち、当該検出器５は、機器ＩＤの信号に基づいて医療機器２を特定し、電流センサ１０からの検出信号に基づいて当該医療機器２の稼働開始日時、停止日時、稼働場所、稼働時間及び消費電力等の稼働状態を検出することができる。また、検出器５には、温湿度センサ２０が設けられている。この温湿度センサ２０により検出器５周辺の温度及び湿度を計測することができる。さらに、検出器５に、照度計（フリッカーメータ含む）、ほこりセンサや人感センサ等、他のセンサを設けるようにしてもよい。
【００２４】
検出器５の設置場所は、特に限定されず、手術室内でも良いし、手術室外でもよい。なお、検出器５は、その電源差込プラグ１８がシーリングペンダント２２のプラグ受け１３（図２参照）に差し込まれる形態が好ましい。当該検出器５は、ＬＡＮケーブル２５を介して管理装置６に接続されている。なお、図２に示すように、ＬＡＮケーブル２５がシーリングペンダント２２内に配置されている場合、シーリングペンダント２２には、ＬＡＮケーブル２５接続用の接続コネクタ２７が設けられており、検出器５は、その電源差込プラグ１８がシーリングペンダント２２のプラグ受け１３に差し込まれて、且つ検出器５からのＬＡＮケーブル２５をシーリングペンダント２２の接続コネクタ２７に接続することができ、検出器５の設置が容易となる。また、検出器５の電源差込プラグ１８が、患者の近くに垂下しているシーリングペンダント２２のプラグ受け１３に差し込まれる場合には、検出器５に設けられた温湿度センサ２０により、患者の周囲の温度及び湿度を正確に計測することができる。なお、シーリングペンダント２２の構成は後で詳述する。図１に示すように、検出器５はＬＡＮケーブル２５を介して管理装置６に接続されて、検出器５の検出結果はＬＡＮケーブル２５を介して管理装置６に伝達される。当該管理装置６では、検出器５からの検出結果がデータとして記憶、蓄積される。
【００２５】
管理装置６はパソコンであり、該管理装置６にて、検出器５からの検出結果に基づいて、全ての医療機器２の稼働情報を一元的に管理する。具体的には、管理装置６には、検出器５からの検出結果に基づいて、全ての医療機器２に対して、稼働日時、その稼働日における稼働時間、稼働回数、全稼働時間、稼働場所、稼働頻度及び稼働率等の稼働情報がデータとして蓄積される。この管理装置６における、各医療機器２の稼働情報を参照することで、医療機器２のメンテナンス等の時期や劣化具合等を速やかに把握することができ、メンテナンスや修理等を確実に実施することができる。
【００２６】
次に、第１の実施形態に係る医療機器の管理システム１ａの作用を説明する。
特定の医療機器２が稼働すると、ＩＤタグプラグ４の電流センサ１０が医療機器２へ流れる電流を検知することで、ＩＤタグプラグ４の電流センサ１０による検出信号及び機器ＩＤの信号が、商用電源線１５を介して検出器５に伝達される。続いて、当該検出器５では、稼働している医療機器２が特定され、当該医療機器２の稼働状態、すなわち稼働開始日時、停止日時、稼働場所、稼働時間及び消費電力等が検出される。続いて、検出器５による検出結果がＬＡＮケーブル２５を介して管理装置６に伝達されて、当該管理装置６において、全ての医療機器２に対し、稼働日時、その稼働日における稼働時間、稼働回数、全稼働時間、稼働場所、稼働頻度及び稼働率等の稼働情報がデータとして蓄積される。また、検出器５に設けた温湿度センサ２０により、検出器５周辺の温度及び湿度が常時計測される。その測定結果は、検出器５の温度及び湿度の表示部に常時表示され、医療従事者等により確認することができる。なお、温湿度センサ２０による測定結果を管理装置６に伝達して、管理装置６にデータとして蓄積してもよい。また、検出器５に設けた、照度計、ほこりセンサや人感センサ等、他のセンサによる測定結果を管理装置６に伝達して、データとして蓄積するようにしてもよい。
【００２７】
以上説明した、第１の実施形態に係る医療機器の管理システム１ａは、医療機器２の電源差込プラグ１２とプラグ受け１３との間に装着され、当該医療機器２の機器ＩＤが記憶され、且つ当該医療機器２が稼働した際に流れる電流を検出する電流センサ１０を有するＩＤタグプラグ４と、当該ＩＤタグプラグ４と商用電源線１５を介して接続され、ＩＤタグプラグ４に記憶された機器ＩＤ及びＩＤタグプラグ４の電流センサ１０からの検出信号を得て、当該医療機器２の稼働状態を検出する検出器５と、該検出器５による検出結果を記憶して、データとして蓄積する管理装置６と、を備えている。そして、特定の医療機器２が稼働すると、ＩＤタグプラグ４の電流センサ１０が医療機器２へ流れる電流を検知することで、ＩＤタグプラグ４の電流センサ１０による検出信号及び機器ＩＤの信号が、商用電源線１５を介して検出器５に伝達される。そして、当該検出器５にて、医療機器２の稼働状態が検出され、検出器５による検出結果がＬＡＮケーブル２５を介して管理装置６に伝達されて、当該管理装置６において、全ての医療機器２に対して、それぞれの稼働情報がデータとして記憶、蓄積される。
【００２８】
このように、ＩＤタグプラグ４は、医療機器２の機器ＩＤが記憶され、電流センサ１０を備えているだけの構造であるので、ＩＤタグプラグ４自体のコストを抑制することができる。またＩＤタグプラグ４は、全ての医療機器２に対応して備えられるために、管理システム全体のコストを抑制することができる。また、各ＩＤタグプラグ４からの検出信号は商用電源線１５を介して検出器５に伝達され、さらに、検出器５による検出結果はＬＡＮケーブル２５を介して管理装置６に伝達されるので、無線通信による通信障害等もなく、円滑に信号の伝達が可能になり、信頼性が向上する。
【００２９】
また、第１の実施形態に係る医療機器の管理システム１ａに採用した検出器５は、電源差込プラグ１８を有し、該電源差込プラグ１８が任意のプラグ受け１３に差し込まれるので、検出器５の設置場所が限定されることなく、取り扱いが非常に良好になる。
【００３０】
さらに、第１の実施形態に係る医療機器の管理システム１ａに採用した検出器５は、温湿度センサ２０を有し、例えば、その電源差込プラグ１８が、天井から患者の近くに垂下されているシーリングペンダント２２のプラグ受け１３に差し込まれる形態が採用されると、検出器５に設けられた温湿度センサ２０により、検出器５の周囲、ひいては患者の周囲の温度及び湿度を正確に計測することができる。これにより、患者の周囲の温度及び湿度を速やかに管理することができる。
【００３１】
また、検出器５に照度計を設けている形態では、当該照度計により、検出器５の周囲、ひいては患者の周囲の照度を継続的に計測することができる。これにより、手術室内の照明機材の経年劣化を把握することができる。なお、照明機材の経年劣化によりＬＥＤ照明のフリッカ（ちらつき）が多くなると、スタッフの眼精疲労につながる虞があり、また手術の安全性に大きく影響する虞があり、照明機材の経年劣化を正確に把握することは重要な作業となる。さらに、検出器５にほこりセンサを設けている形態では、当該ほこりセンサにより、検出器５の周囲、ひいては患者の周囲の、時間経過に伴う相対的な空気清浄度（具体的な空気清浄度を計測するわけではない）の変化を簡易的に把握することができる。また、当該ほこりセンサにより、手術を実施していない時の空気清浄度の変化を把握することで、空気の清浄化を促進させるフィルタの経年劣化（汚れ具合）を把握することができる。さらにまた、検出器５に人感センサを設けている形態では、当該人感センサにより、手術中におけるスタッフの移動及びスタッフの人数を検知することができる。これにより、前記ほこりセンサによる検出結果と併せて、手術時におけるスタッフの人数の空気清浄度への影響を把握することができる。
【００３２】
次に、第２の実施形態に係る医療機器の管理システム１ｂを図３に基づいて説明する。当該第２の実施形態に係る医療機器の管理システム１ｂを説明する際には、第１の実施形態に係る医療機器の管理システム１ａとの相違点のみを説明する。
第２の実施形態に係る医療機器の管理システム１ｂでは、シーリングペンダント２２に備えられたプラグ受け１３に対応するように、シーリングペンダント２２に一体的に設けられる稼働検出部材３０と、当該稼働検出部材３０と電気的に接続され、該稼働検出部材３０に記憶された機器ＩＤの信号及び電流センサ１０からの検出信号を得て、医療機器２の稼働状態を検出する検出器５と、該検出器５による検出結果を記憶して、データとして蓄積する管理装置６と、を備えている。
【００３３】
シーリングペンダント２２は、コンソール２２Ａに医療機器用の複数のプラグ受け１３、医療ガス用の接続部位２６、各種情報通信用の接続コネクタ２７などを有し、電源、医療ガスなどの必要設備を任意の位置から供給することのできる天井垂下式アームシステムである。また、このシーリングペンダント２２は、上下方向に移動自在で、任意位置に固定できる支持台２２Ｂが備えられている構造もあり、この支持台２２Ｂ上に医療機器２を設置することができる。これにより、手術室の床面スペースの有効利用を促進でき、医療機器２の転倒防止ができ、配線コードやホースへの引っ掛け事故を抑制できるようになる。
【００３４】
稼働検出部材３０は、一つのプラグ受け１３に対応して設けられる。すなわち、稼働検出部材３０は、プラグ受け１３と１対１で対応付けられる。稼働検出部材３０は、シーリングペンダント２２に一体的に設けられる。稼働検出部材３０には、対応するプラグ受け１３に電源差込プラグ１２が差し込まれる医療機器２の機器ＩＤが記憶される。稼働検出部材３０は、当該医療機器２が稼働した際に流れる電流を検出する電流センサ１０を有する。稼働検出部材３０は、検出器５と電気的に接続されている。第２の実施形態に係る医療機器の管理システム１ｂにおいても、検出器５には温湿度センサ２０が設けられている。この検出器５の設置場所は特に限定されないが、図３に示すように、シーリングペンダント２２（コンソール２２Ａ）に一体化されている形態が好ましい。この実施形態の場合、検出器５はシーリングペンダント２２内に配置されるＬＡＮケーブル２５を介して管理装置６に接続されている。
【００３５】
そして、第２の実施形態に係る医療機器の管理システム１ｂにおいて、特定の医療機器２が稼働すると、稼働検出部材３０の電流センサ１０が医療機器２へ流れる電流を検知することで、稼働検出部材３０の電流センサ１０による検出信号及び機器ＩＤの信号が検出器５に伝達される。続いて、当該検出器５では、稼働している医療機器２が特定され、当該医療機器２の稼働状態、すなわち稼働開始日時、停止日時、稼働場所、稼働時間及び消費電力等が検出される。続いて、検出器５による検出結果が管理装置６に伝達されて、当該管理装置６において、全ての医療機器２に対し、稼働日時、その稼働日における稼働時間、稼働回数、全稼働時間、稼働場所、稼働頻度及び稼働率等の稼働情報がデータとして蓄積される。
【００３６】
なお、第２の実施形態に係る医療機器の管理システム１ｂにおいては、図示は省略しているが、シーリングペンダント２２に設けられる各プラグ受け１３と各医療機器２とは１対１で対応付けられているので、各プラグ受け１３付近に、当該プラグ受け１３を使用する医療機器２の名称を表示する必要がある。
【００３７】
以上説明した、第２の実施形態に係る医療機器の管理システム１ｂでは、第１の実施形態に係る医療機器の管理システム１ａと同等の効果を奏することができる。それに加えて、第２の実施形態に係る医療機器の管理システム１ｂでは、シーリングペンダント２２に稼働検出部材３０を一体化して構成されているので、第１の実施形態に係る医療機器の管理システム１ａで採用したＩＤタグプラグ４を、医療機器２の電源差込プラグ１２と、プラグ受け１３との間に装着する手間を省くことができる。
【００３８】
また、第２の実施形態に係る医療機器の管理システム１ｂでは、シーリングペンダント２２に、稼働検出部材３０及び検出器５を一体化して、本管理システム１ｂをシーリングペンダント２２に集約しているので、医療従事者等による本管理システム１ｂを使用するための作業を必要とせず、また、本管理システム１ｂのための専有スペースを必要としない。
【００３９】
なお、上述した第１及び第２の実施形態に係る医療機器の管理システム１ａ、１ｂでは、検出器５がＬＡＮケーブル２５を介して管理装置６に接続されているが、検出器５を、管理装置６との間で無線通信の障害を抑制できる位置、例えば手術室外に設置する際には、検出器６を、無線ＬＡＮ等の通信手段を介して管理装置６に接続するようにしてもよい。これにより、管理システムの構成を簡素化することができる。
【符号の説明】
【００４０】
１ａ、１ｂ  医療機器の管理システム，２  医療機器，４  ＩＤタグプラグ，５  検出器，６  管理装置，１０  電流センサ，１２  電源差込プラグ（医療機器側），１３  プラグ受け，１５  商用電源線，１８  電源差込プラグ（検出器側），２０  温湿度センサ，２２  シーリングペンダント，２５  ＬＡＮケーブル，３０  稼働検出部材
【図１】
2019185656.tif 000003
【図２】
2019185656.tif 000004
【図３】
2019185656.tif 000005